(57)【要約】【目的】端子記号を表示した記号表示体を電線の接続作業とスイッチ類の操作作業とのそれぞれに適合した所定位置に切り替えて保持できる端子台を提供する。【構成】この発明による端子台１は合成樹脂材製で表示体部３１を保持する保持部２２と１対のヒンジ部２１とを一体に有する基台２、記号表示体３、ねじ等からなる多数の電線接続用部材４を備える。記号表示体３は表示体部３１と支持体部３２，３２を全体として平板状でＵ字状の形状に構成され、記号表示体３のＵ字状の中央下部の辺の上面部に対応する表示体部３１の面に、端子記号銘板３７を端子記号の表示面を上方に向けて装着している。それぞれの支持体部３２には両端部に設けられた円形状の孔部と，両方の孔部を連結して連なる溝部とからなる溝状体をなした支持部３３が形成されており、それぞれのヒンジ部２１は、このいずれかの円形状の孔部と組み合わされる。【選択図】        図１
2006040692.tif 000002
【特許請求の範囲】
【請求項１】
複数の電線接続用部材と、これ等の電線接続用部材が装着されるそれぞれの端子用部材を有する電気絶縁材製の基台と、それぞれの端子用部材の端子記号を表示した記号表示体とを備えた端子台において、
前記基台はその両側端部のそれぞれのほぼ対峙し合う部位に設けられたヒンジ部と，前記記号表示体の表示体部をその端子記号が視認できる所定位置に保持する保持部とを有し、前記記号表示体は前記ヒンジ部のそれぞれに回動自在に組み合わされる支持部を持つ支持体部と、それぞれの支持体部を互いに連結すると共に端子記号が表示された平板状の表示体部とを有し、前記支持部は前記表示体部を前記端子記号が視認できる所定位置に保持できるように前記ヒンジ部と組み合わされる一方の嵌合部と，前記表示体部を前記基台の背面側に待避させる所定位置に保持できるようにヒンジ部と組み合わされる他方の嵌合部と，支持部とヒンジ部との組み合わされた状態が維持されながらヒンジ部が前記一方の嵌合部と前記他方の嵌合部との間を移動できるヒンジ移動部とを持つことを特徴とする端子台。
【請求項２】
請求項１に記載の端子台において、
前記基台は前記ヒンジ部が基台の両側端部の外側にそれぞれ突出させて互いにほぼ平行されて形成された円柱状の外形を持つ突起状体であり、前記記号表示体はそれぞれの前記支持体部が平板状体でありその支持部が両端部のそれぞれに設けられた円形状の孔部とこの両方の孔部に連なる溝部とからなる溝状体をなし，これ等の両方の孔部が前記一方の嵌合部および前記他方の嵌合部であり溝部が前記ヒンジ移動部であることを特徴とする端子台。
【請求項３】
請求項１または２に記載の端子台において、
前記記号表示体の表示体部を前記端子記号が視認できる所定位置とは，表示体部が端子記号の表示面を上方に向けて前記基台の背面側の上面部に隣接される位置であり、前記記号表示体の表示体部を前記基台の背面側に待避させる所定位置とは，前記表示体部の平面を前記基台の背面部に沿わせるようにして近接される位置であることを特徴とする端子台。
【発明の詳細な説明】
【技術分野】
【０００１】
この発明は、複数の電線接続用部材と、これ等の電線接続用部材が装着されるそれぞれの端子用部材を有する電気絶縁材製の基台と、それぞれの端子用部材の端子記号を表示した記号表示体とを備えた端子台に関するものである。
【背景技術】
【０００２】
電線類の接続に用いられる複数の電線接続用部材と、これ等の電線接続用部材が装着されるそれぞれの端子用部材を，電線類の着脱時に電線接続用部材が操作できるように配列して有する電気絶縁材製の基台と、それぞれの端子用部材の端子記号を表示した記号表示体とを備えた従来例の端子台としては、次に記載するものが知られている。すなわち、ヒンジで電気絶縁材製の基台に回動自在に取付けられ、開いた状態で端子用部材の端子記号が裏面側から視認できるように設けられた平板状のカバー体を備えたものがある（例えば、特許文献１参照。)。この端子台のカバー体は、電線を端子用部材に接続する際などには立てた状態とされ、カバー体が電線接続作業の邪魔をしないようにすると共に、端子記号を視認しつつ電線の接続作業を行えるようにしている。また、電気絶縁材製の基台の端子用部材配設部位を覆える位置に配設されてスライドして移動できると共に、上面に端子記号を表示した移動式で平板状の移動カバーが備えられ、電線を端子用部材に接続する際などには移動カバーを移動して端子用部材，電線接続用部材を露出させ、端子記号を視認しつつ電線の接続作業などを実施でき、電線の端子用部材への接続作業などの終了後には移動カバーを元の状態に戻すようにするものがある（例えば、特許文献２参照。)。
【０００３】
さらに、電線類の接続に用いられる複数の電線接続用部材と、これ等の電線接続用部材が装着されるそれぞれの端子用部材を，電線類の着脱時に電線接続用部材が操作できるように配列して有する電気絶縁材製の基台と、端子用部材，電線接続用部材を覆うカバー部材とを備えた従来例の端子台としては、電気絶縁材製の基台の電線接続部を覆える位置に配設されると共に薄板材を半円弧状に形成して回動させて移動できるようにしたカバー部材が備えられ、電線を端子用部材に接続する際などにはカバー部材が移動されることで端子用部材，電線接続用部材が露出されて電線の接続作業などを実施でき、電線の端子用部材への接続作業などの終了後にはカバー部材を元の状態に戻すようにするものであるが、端子記号の表示体は備えられていないものがある（例えば、特許文献３参照。)。
【特許文献１】実開平６−５１３５号公報 （第５−７頁、第１−３図）
【特許文献２】実開平５−１１７０号公報 （第４−５頁、第１−４図）
【特許文献３】特開平７−２１１３６６号公報 （第３−４頁、第１−５図）
【発明の開示】
【発明が解決しようとする課題】
【０００４】
前述した従来技術による端子台では、「特許文献１」に示されたものでは、端子記号が表示されたカバー体を所定の開度の位置で保持することができないので、電線の端子用部材への接続作業を実施するのに際し、カバー体を保持しなければならないという問題がある。また、「特許文献２」に示された端子台の場合には、端子用部材，電線接続用部材を露出させて電線の接続作業を実施できるようにするには移動カバーを移動する必要があるので、移動カバーは端子台の背面部側に突出された状態になる。このために、端子台の背面部に配設されているスイッチ類（例えば、ディップスイッチ）の操作を行う必要がある場合には、端子台の背面部側に突出された移動カバーが邪魔になるとの問題がある。さらにまた、「特許文献３」による端子台の場合には、端子記号の表示体が備えられていないので、電線の接続作業時に端子記号の照合に時間を要するとの問題がある。したがってこの発明の目的は、端子記号を表示した記号表示体を電線の接続作業とスイッチ類の操作作業とのそれぞれに適合した所定位置に切り替えて保持できる端子台を提供することにある。
【課題を解決するための手段】
【０００５】
この発明では前述の目的は、
１）複数の電線接続用部材と、これ等の電線接続用部材が装着されるそれぞれの端子用部材を有する電気絶縁材製の基台と、それぞれの端子用部材の端子記号を表示した記号表示体とを備えた端子台において、前記基台はその両側端部のそれぞれのほぼ対峙し合う部位に設けられたヒンジ部と，前記記号表示体の表示体部をその端子記号が視認できる所定位置に保持する保持部とを有し、前記記号表示体は前記ヒンジ部のそれぞれに回動自在に組み合わされる支持部を持つ支持体部と、それぞれの支持体部を互いに連結すると共に端子記号が表示された平板状の表示体部とを有し、前記支持部は前記表示体部を前記端子記号が視認できる所定位置に保持できるように前記ヒンジ部と組み合わされる一方の嵌合部と，前記表示体部を前記基台の背面側に待避させる所定位置に保持できるようにヒンジ部と組み合わされる他方の嵌合部と，支持部とヒンジ部との組み合わされた状態が維持されながらヒンジ部が前記一方の嵌合部と前記他方の嵌合部との間を移動できるヒンジ移動部とを持つこと、または、
２）前記１項に記載の手段において、前記基台は前記ヒンジ部が基台の両側端部の外側にそれぞれ突出させて互いにほぼ平行されて形成された円柱状の外形を持つ突起状体であり、前記記号表示体はそれぞれの前記支持体部が平板状体でありその支持部が両端部のそれぞれに設けられた円形状の孔部とこの両方の孔部に連なる溝部とからなる溝状体をなし，これ等の両方の孔部が前記一方の嵌合部および前記他方の嵌合部であり溝部が前記ヒンジ移動部であること、さらにまたは、
３）前記１項または２項に記載の手段において、前記記号表示体の表示体部を前記端子記号が視認できる所定位置とは，表示体部が端子記号の表示面を上方に向けて前記基台の背面側の上面部に隣接される位置であり、前記記号表示体の表示体部を前記基台の背面側に待避させる所定位置とは，前記表示体部の平面を前記基台の背面部に沿わせるようにして近接される位置であることにより達成される。
【発明の効果】
【０００６】
この発明による端子台では、前記課題を解決するための手段の項で述べた構成とすることで、次記の効果を得られる。すなわち、記号表示体のそれぞれの支持部を一方の嵌合部で基台のそれぞれのヒンジ部と組み合わせると共に，表示体部を基台の保持部によって保持するようにした場合には、記号表示体の表示体部を端子記号の表示内容の視認の容易な所定位置に、安定に保持することができる。記号表示体のこの位置では、端子記号を視認しつつ電線の端子台への接続作業などを行うことができる。また、記号表示体のそれぞれの支持部を他方の嵌合部で基台のそれぞれのヒンジ部と組み合わせるようにした場合には、記号表示体の表示体部の平面を基台の背面部に沿わせるようにして近接される所定位置に保持することができる。記号表示体のこの位置では、端子台の背面部に配設されているスイッチ類の操作などを容易に行うことができる。そうして、この発明による端子台では、記号表示体に関する前記２個所の所定位置の切り換えは、基台のヒンジ部と組み合わされる記号表示体の支持部の嵌合部を、一方の嵌合部と他方の嵌合部のどちらかに切り換えることで、随時行うことができる。
【発明を実施するための最良の形態】
【０００７】
以下この発明を実施するための最良の形態を図１〜図４を参照して詳細に説明する。ここで図１はこの発明の実施の形態の一例による端子台を関連装置と共に示す図面で、（ａ）はその通常位置での斜視図であり、（ｂ）は図１の（ａ）におけるＡ−Ａ断面図であり、図２は図１の（ｂ）におけるＢ部の拡大図である。また、図３は図１，図２に示した端子台を関連装置と共に示す図面で、（ａ）はその待避位置での斜視図であり、（ｂ）は図３の（ａ）におけるＣ−Ｃ断面図である。さらに、図４は図１，図２に示した端子台を関連装置と共に示す図面で、（ａ）はその移行状態の斜視図であり、（ｂ）は図４の（ａ）におけるＤ−Ｄ断面図である。
図１〜図４において、１は、基台２と、記号表示体３と、多数の電線接続用部材４を備えたこの発明による端子台である。この事例の場合の端子台１は、制御回路部などが含まれているプリント回路板９に、例えば、はんだ接合によって実装されており、このプリント回路板９には、制御回路の制御条件などの設定を行うためのハード装置として設定用スイッチ（例えば、ディップスイッチ）８が端子台１の背面部の近傍に搭載されている。電線接続用部材４は端子台１への電線類（図示せず）の接続に用いられるおねじなどからなる、従来技術による端子台においても使用されている周知の部材である。基台２はプラスチック材などの電気絶縁材製であり、電線接続用部材４がそれぞれに装着される端子用部材（図示せず）を、電線類の着脱時にいずれの電線接続用部材４も操作できるように配列して有している。この端子用部材も、従来技術による端子台においても使用されている周知の部材である。
【０００８】
この発明による基台２が有する特徴的な構成物は、基台２の両側端部に設けられたヒンジ部２１，２１と、記号表示体３を図１，図２に例示されている所定位置となるように，ヒンジ部２１と共に保持する保持部２２である。この事例の場合には、ヒンジ部２１，２１は、基台２の両側端部の外側にそれぞれ突出させて互いにその中心軸を平行かつ一致させ、円柱状の外形を持つ突起状体として構成されている。保持部２２は基台２の背面部に設けられ、その上部には円弧状の凸部２２１が形成されている（図２を参照）。この事例の場合の合成樹脂材製の基台２では、ヒンジ部２１，２１と保持部２２とは、基台２を合成樹脂材の成形法で製造する際に一体に成形される。この事例の場合の記号表示体３は、それぞれに支持部３３が形成された平板状の支持体部３２，３２と、それぞれの支持体部３２を互いに連結すると共に、端子記号が表示された端子記号銘板３７を装着する矩形状で平板状の表示体部３１とを有する。
【０００９】
この記号表示体３は、表示体部３１と支持体部３２，３２とを全体としてＵ字状をなすような形状に構成しており、記号表示体３のＵ字状の中央下部の辺の上面部に対応する表示体部３１の面３１１に、端子記号銘板３７を端子記号の表示面を上方に向け、図２に示したように装着している。端子記号銘板３７は、紙製の短冊状のシート材の一方の面に端子記号が印刷され、他方の面には接着剤層が形成されているものである。記号表示体３のそれぞれの支持体部３２には、両端部のそれぞれに設けられた円形状の孔部３４，３５と、この両方の孔部３４，３５に連なる溝部３６とからなる溝状体をなした支持部３３が図２に示したように形成されている。孔部３４はこの事例の場合の一方の嵌合部である。この孔部３４は、記号表示体３の表示体部３１を端子記号銘板３７に表示された端子記号を視認できる所定位置（図１，図２に例示されている位置で、表示体部３１が端子記号の表示面を上方に向けて基台２の背面側の上面部に隣接されて配置される位置である。）に保持する際に、基台２のヒンジ部２１と組み合わされる。
【００１０】
また、孔部３５はこの事例の場合の他方の嵌合部である。孔部３５は、設定用スイッチ８の設定作業時などに、記号表示体３の表示体部３１を基台２の背面側に待避させる所定位置（図３に例示されている位置で、表示体部３１の平面が基台２の背面部に沿わせるようにして近接させて配置される位置である。）に保持する際に、基台２のヒンジ部２１と組み合わされる。また、溝部３６は、支持部３３とヒンジ部２１の組み合わされた状態が維持されながら、ヒンジ部２１が孔部３４と孔部３５との間を移動できるようにする、この事例の場合のヒンジ移動部である。表示体部３１の面３１１に対する反対側の面３１２の、孔部３４に近い方の幅方向の端部３１４の近傍には、表示体部３１を端子記号銘板３７に表示された端子記号を視認できる所定位置に保持する際に、基台２の凸部２２１に嵌め合わされる円弧状面を持つ凹部３１３が形成されている。また、表示体部３１の凹部３１３と隣接する角部には、必要に応じて面取り部３１５が形成され、さらに、表示体部３１の面３１１の端部３１４に対する反対側の端部部分には、必要に応じて把手３８が備えられる。
【００１１】
図１〜図４に示すこの発明の実施の形態の一例による端子台１では前述の構成としたので、記号表示体３のそれぞれの支持部３３を孔部３４で基台２のそれぞれのヒンジ部２１と組み合わせると共に、表示体部３１の凹部３１３を基台２の凸部２２１に嵌め合わせることで、記号表示体３を図１，図２に例示されている通常位置に位置させることができる。記号表示体３は、この姿勢の状態では、記号表示体３の自重によってヒンジ部２１，２１の中心軸を中心として働くモーメントは図２における紙面に向かって時計方向に働くが、表示体部３１はその凹部３１３を含む端部３１４の周辺部の部分で、保持部２２とヒンジ部２１の形成部との間に嵌り込んでいるので、図２における紙面に向かって時計方向には回転することができない。したがって、記号表示体３のこの姿勢の状態は安定に保持される。そうして、この姿勢の状態で、表示体部３１の端子記号銘板３７の表示内容を容易に視認することができる。
【００１２】
しかし、この姿勢の状態は、図１（ｂ）に例示されているように、記号表示体３は設定用スイッチ８の上方を覆っているので、設定用スイッチ８の設定操作を行うことは困難である。端子台１では、設定用スイッチ８の設定操作を行う場合には、記号表示体３を図３に例示されている待避位置の状態に容易に変更できる。記号表示体３の待避位置への変更は、まず、孔部３４とヒンジ部２１とを組み合わせた状態のままで、記号表示体３を図２における紙面に向かって反時計方向に回転させる。この状態が図４に例示した状態である。記号表示体３の前記反時計方向の回転動作を図３に例示した状態からさらに進め、表示体部３１の面３１１などが基台２の背面にほぼ平行する状態の姿勢にする。この姿勢の状態で記号表示体３を下向き移動させる。この場合のヒンジ部２１と支持部３３との組み合わせ状態を、支持部３３の視点から説明すると、ヒンジ部２１は孔部３４から溝部３６に沿って移動し、孔部３５と組み合わされる状態となってその移動は終了する。
【００１３】
この状態が図３に例示した状態である。設定用スイッチ８の設定操作が完了した以降の適時に、端子台１は記号表示体３の姿勢を図１，図２に例示されている通常位置に戻すことになるが、記号表示体３の姿勢の図３に例示した待避位置から通常位置への変更は、前記した通常位置から待避位置への変更の手順に対して、逆の手順によって行うことができる。なお、この際に、凹部３１３を基台２の凸部２２１に嵌め合わせるべく、表示体部３１を端部３１４から保持部２２とヒンジ部２１の形成部との間に挿入させる必要があるが、表示体部３１の凹部３１３と隣接する角部に面取り部３１５が形成されていると、この表示体部３１の挿入を容易にすることができる。
前述の説明では、端子記号銘板３７は紙製であり、端子記号は印刷法により表示され、裏面に形成された接着剤層により表示体部３１に装着されるとしてきたが、これに限定されるものではなく、例えば、端子記号銘板の材質，端子記号の表示方法，表示体部への装着方法などについては、各種の銘板類に既に採用されている周知の方法を適用することであってもよい。また、表示体部３１などの表示体部に直接に彫刻法により，あるいは記号表示体３がプラスチック材製である場合にはその成形時に端子記号も同時に成形によって形成するなどの周知の適宜の方法を用いて表示することであってもよいものである。
【図面の簡単な説明】
【００１４】
【図１】この発明の実施の形態の一例による端子台を関連装置と共に示す図面で、（ａ）はその通常位置での斜視図であり、（ｂ）は図１の（ａ）におけるＡ−Ａ断面図である。
【図２】図１の（ｂ）におけるＢ部の拡大図である。
【図３】図１，図２に示した端子台を関連装置と共に示す図面で、（ａ）はその待避位置での斜視図であり、（ｂ）は図３の（ａ）におけるＣ−Ｃ断面図である。
【図４】図１，図２に示した端子台を関連装置と共に示す図面で、（ａ）はその移行状態の斜視図であり、（ｂ）は図４の（ａ）におけるＤ−Ｄ断面図である。
【符号の説明】
【００１５】
１    端子台
２    基台
２１  ヒンジ部
２２  保持部
３    記号表示体
３１  表示体部
３２  支持体部
３３  支持部
３７  端子記号銘板
４    電線接続用部材
【図１】
2006040692.tif 000003
【図２】
2006040692.tif 000004
【図３】
2006040692.tif 000005
【図４】
2006040692.tif 000006